(57)【要約】  広帯域不法無線信号の探知方法を提供する。  本発明の特徴は、受信部が、不法無線信号を探知すべき場所の周りの無線信号を受信するステップと、探知部が、前記受信される周りの無線信号のうち、予め設定された周波数帯域の信号を基本解像度で取り出す基本解像度スペクトルを生成し、前記基本解像度の正の整数倍の解像度で取り出す倍数の解像度スペクトルを生成することにより、基準多重スペクトルテーブルを作成して基準周波数情報を生成するステップと、前記探知部が、前記探知すべき場所において探知される探知無線信号のうち、前記予め設定された周波数帯域の信号を前記基本解像度で取り出す基本解像度スペクトルを生成し、前記基本解像度の正の整数倍の解像度で取り出す倍数の解像度スペクトルを生成することにより、探知多重スペクトルテーブルを作成して探知周波数情報を生成するステップと、検出部が、前記探知多重スペクトルテーブルに前記基準多重スペクトルテーブルの信号強さ値よりも大きな信号強さ値が存在するか否かを確認するステップと、を含む。
2019524038.tif 000002
【特許請求の範囲】
【請求項１】
受信部が、不法無線信号を探知すべき場所の周りの無線信号を受信するステップと、
探知部が、前記受信される周りの無線信号のうち、予め設定された周波数帯域の信号を基本解像度で取り出す基本解像度スペクトルを生成し、前記基本解像度の正の整数倍の解像度で取り出す倍数の解像度スペクトルを生成することにより、基準多重スペクトルテーブルを作成して基準周波数情報を生成するステップと、
前記探知部が、前記探知すべき場所において探知される探知無線信号のうち、前記予め設定された周波数帯域の信号を前記基本解像度で取り出す基本解像度スペクトルを生成し、前記基本解像度の正の整数倍の解像度で取り出す倍数の解像度スペクトルを生成することにより、探知多重スペクトルテーブルを作成して探知周波数情報を生成するステップと、
検出部が、前記探知多重スペクトルテーブルに前記基準多重スペクトルテーブルの信号強さ値よりも大きな信号強さ値が存在するか否かを確認するステップと、
を含む広帯域不法無線信号の探知方法。
【請求項２】
前記探知多重スペクトルテーブルの倍数の解像度スペクトルに、前記基準多重スペクトルテーブルの倍数の解像度スペクトルの信号強さ値よりも大きな信号強さ値が存在すると確認される場合に、前記検出部が、前記探知多重スペクトルテーブルの基本解像度スペクトルの信号強さ値と、前記基準多重スペクトルテーブルの基本解像度スペクトルの信号強さ値とを比較して、前記探知多重スペクトルテーブルの基本解像度スペクトルに前記基準多重スペクトルテーブルの基本解像度スペクトルよりも大きな信号強さ値が存在するか否かを確認するステップをさらに含む請求項１に記載の広帯域不法無線信号の探知方法。
【請求項３】
前記探知多重スペクトルテーブルの基本解像度スペクトルの信号強さ値と、前記基準多重スペクトルテーブルの基本解像度スペクトルの信号強さ値とを比較して、前記探知多重スペクトルテーブルの基本解像度スペクトルに、前記基準多重スペクトルテーブルの基本解像度スペクトルよりも大きな信号強さ値が存在しないと確認される場合に、前記検出部が、前記探知無線信号のうち、不法無線信号が探知されたと確認するステップをさらに含む請求項２に記載の広帯域不法無線信号の探知方法。
【請求項４】
前記探知無線信号のうち、不法無線信号が探知されたと確認される場合に、前記検出部が、前記基準多重スペクトルテーブルと、前記探知多重スペクトルテーブルと、前記不法無線信号が探知されたと確認された旨と、を格納部に格納するステップをさらに含む請求項３に記載の広帯域不法無線信号の探知方法。
【請求項５】
前記探知無線信号のうち、不法無線信号が探知されたと確認される場合に、前記検出部が、前記不法無線信号が探知されたと確認された旨をディスプレイ部に表示するステップをさらに含む請求項３に記載の広帯域不法無線信号の探知方法。
【請求項６】
受信部が、不法無線信号を探知すべき場所の周りの無線信号を受信するステップと、
探知部が、前記受信される周りの無線信号のうち、予め設定された周波数帯域の信号を基本解像度で取り出す基本解像度スペクトルを生成し、前記基本解像度の多数の正の整数倍の解像度で取り出す多数の倍数の解像度スペクトルを生成することにより、基準多重スペクトルテーブルを作成して基準周波数情報を生成するステップと、
前記探知部が、前記探知すべき場所において探知される探知無線信号のうち、前記予め設定された周波数帯域の信号を前記基本解像度で取り出す基本解像度スペクトルを生成し、前記基本解像度の多数の正の整数倍の解像度で取り出す多数の倍数の解像度スペクトルを生成することにより、探知多重スペクトルテーブルを作成して探知周波数情報を生成するステップと、
検出部が、前記探知多重スペクトルテーブルに、前記基準多重スペクトルテーブルの信号強さ値よりも大きな信号強さ値が存在するか否かを確認するステップと、
を含む広帯域不法無線信号の探知方法。
【請求項７】
前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在すると確認される場合に、前記検出部が前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認するステップをさらに含む請求項６に記載の広帯域不法無線信号の探知方法。
【請求項８】
前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在しないと確認される場合に、前記検出部が、前記探知無線信号のうち、不法無線信号が探知されたと確認するステップをさらに含む請求項７に記載の広帯域不法無線信号の探知方法。
【請求項９】
前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在しないと確認される場合に、前記検出部が、前記検出部が前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認するステップをさらに含む請求項６に記載の広帯域不法無線信号の探知方法。
【請求項１０】
前記検出部が、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在すると確認される場合に、前記検出部が、前記探知多重スペクトルテーブルの最も大きな倍数の解像度の２番目の下位倍数のスペクトルの信号強さ値と、前記基準多重スペクトルテーブルの最も大きな倍数の解像度の２番目の下位倍数のスペクトルの信号強さ値とを比較して、前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在するか否かを確認するステップをさらに含む請求項９に記載の広帯域不法無線信号の探知方法。
【請求項１１】
前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在しないと確認される場合に、前記検出部が、前記探知無線信号のうち、不法無線信号が探知されたと確認するステップをさらに含む請求項１０に記載の広帯域不法無線信号の探知方法。
【請求項１２】
前記探知無線信号のうち、不法無線信号が探知されたと確認される場合に、前記検出部が、前記基準多重スペクトルテーブルと、前記探知多重スペクトルテーブルと、前記不法無線信号が探知されたと確認された旨と、を格納部に格納するステップをさらに含む請求項８または請求項１１に記載の広帯域不法無線信号の探知方法。
【請求項１３】
前記探知無線信号のうち、不法無線信号が探知されたと確認される場合に、前記検出部が、前記不法無線信号が探知されたと確認された旨をディスプレイ部に表示するステップをさらに含む請求項８または請求項１１に記載の広帯域不法無線信号の探知方法。
【発明の詳細な説明】
【技術分野】
【０００１】
本発明は、広帯域不法無線信号を探知する方法に関し、より詳しくは、周りの無線信号を基本解像度と多数の正の整数倍の解像度で取り出して作成した基準多重スペクトルテーブルと、探知無線信号を基本解像度と多数の正の整数倍の解像度で取り出して作成した探知多重スペクトルテーブルとを比較することにより、非常に広い周波数帯域にわたって低い電力の信号強さを有するスプレッドスペクトル（Ｓｐｒｅａｄ  Ｓｐｅｃｔｒｕｍ）を使用する不法無線信号や超広帯域（Ｕｌｔｒａ  Ｗｉｄｅ  Ｂａｎｄ；ＵＷＢ）を使用する不法無線信号を効果的に探知することのできる広帯域不法無線信号の探知方法に関する。
【背景技術】
【０００２】
現在、不法無線信号を探知する装置は、微細な解像度で予め設定された周波数帯域の無線信号を取り出して不法無線信号を探知している。
【０００３】
ところが、上述した従来の不法無線信号を探知する装置は、非常に広い周波数帯域にわたって低い電力の信号強さを有するスプレッドスペクトル（Ｓｐｒｅａｄ  Ｓｐｅｃｔｒｕｍ）を使用する不法無線信号や超広帯域（Ｕｌｔｒａ  Ｗｉｄｅ  Ｂａｎｄ；ＵＷＢ）を使用する不法無線信号を探知するのに非常に弱いという問題を抱えている。
【０００４】
本発明の背景技術は、大韓民国特許庁公開特許第１０−２０１１−００２２８７４号に２０１１年３月８日付けで開示されている。
【先行技術文献】
【特許文献】
【０００５】
【特許文献１】韓国公開特許第１０−２０１１−００２２８７４号公報
【発明の概要】
【発明が解決しようとする課題】
【０００６】
上述した問題を解消するために案出された本発明の目的は、周りの無線信号を基本解像度と多数の正の整数倍の解像度で取り出して作成した基準多重スペクトルテーブルと、探知無線信号を基本解像度と多数の正の整数倍の解像度で取り出して作成した探知多重スペクトルテーブルとを比較することにより、非常に広い周波数帯域にわたって低い電力の信号強さを有するスプレッドスペクトル（Ｓｐｒｅａｄ  Ｓｐｅｃｔｒｕｍ）を使用する不法無線信号や超広帯域（Ｕｌｔｒａ  Ｗｉｄｅ  Ｂａｎｄ；ＵＷＢ）を使用する不法無線信号を効果的に探知することのできる広帯域不法無線信号の探知方法を提供することである。
【課題を解決するための手段】
【０００７】
本発明の一実施形態に係る広帯域不法無線信号の探知方法は、受信部が、不法無線信号を探知すべき場所の周りの無線信号を受信するステップと、探知部が、前記受信される周りの無線信号のうち、予め設定された周波数帯域の信号を基本解像度で取り出す基本解像度スペクトルを生成し、前記基本解像度の正の整数倍の解像度で取り出す倍数の解像度スペクトルを生成することにより、基準多重スペクトルテーブルを作成して基準周波数情報を生成するステップと、前記探知部が、前記探知すべき場所において探知される探知無線信号のうち、前記予め設定された周波数帯域の信号を前記基本解像度で取り出す基本解像度スペクトルを生成し、前記基本解像度の正の整数倍の解像度で取り出す倍数の解像度スペクトルを生成することにより、探知多重スペクトルテーブルを作成して探知周波数情報を生成するステップと、検出部が、前記探知多重スペクトルテーブルに前記基準多重スペクトルテーブルの信号強さ値よりも大きな信号強さ値が存在するか否かを確認するステップと、を含む。
【０００８】
本発明の一実施形態に係る広帯域不法無線信号の探知方法は、前記探知多重スペクトルテーブルの倍数の解像度スペクトルに、前記基準多重スペクトルテーブルの倍数の解像度スペクトルの信号強さ値よりも大きな信号強さ値が存在すると確認される場合に、前記検出部が、前記探知多重スペクトルテーブルの基本解像度スペクトルの信号強さ値と、前記基準多重スペクトルテーブルの基本解像度スペクトルの信号強さ値とを比較して、前記探知多重スペクトルテーブルの基本解像度スペクトルに前記基準多重スペクトルテーブルの基本解像度スペクトルよりも大きな信号強さ値が存在するか否かを確認するステップをさらに含むことが好ましい。
【０００９】
本発明の一実施形態に係る広帯域不法無線信号の探知方法は、前記探知多重スペクトルテーブルの基本解像度スペクトルの信号強さ値と、前記基準多重スペクトルテーブルの基本解像度スペクトルの信号強さ値とを比較して、前記探知多重スペクトルテーブルの基本解像度スペクトルに、前記基準多重スペクトルテーブルの基本解像度スペクトルよりも大きな信号強さ値が存在しないと確認される場合に、前記検出部が、前記探知無線信号のうち、不法無線信号が探知されたと確認するステップをさらに含むことが好ましい。
【００１０】
本発明の一実施形態に係る広帯域不法無線信号の探知方法は、前記探知無線信号のうち、不法無線信号が探知されたと確認される場合に、前記検出部が、前記基準多重スペクトルテーブルと、前記探知多重スペクトルテーブルと、前記不法無線信号が探知されたと確認された旨と、を格納部に格納するステップをさらに含むことが好ましい。
【００１１】
本発明の一実施形態に係る広帯域不法無線信号の探知方法は、前記探知無線信号のうち、不法無線信号が探知されたと確認される場合に、前記検出部が、前記不法無線信号が探知されたと確認された旨をディスプレイ部に表示するステップをさらに含むことが好ましい。
【００１２】
本発明の他の実施形態に係る広帯域不法無線信号の探知方法は、受信部が、不法無線信号を探知すべき場所の周りの無線信号を受信するステップと、探知部が、前記受信される周りの無線信号のうち、予め設定された周波数帯域の信号を基本解像度で取り出す基本解像度スペクトルを生成し、前記基本解像度の多数の正の整数倍の解像度で取り出す多数の倍数の解像度スペクトルを生成することにより、基準多重スペクトルテーブルを作成して基準周波数情報を生成するステップと、前記探知部が、前記探知すべき場所において探知される探知無線信号のうち、前記予め設定された周波数帯域の信号を前記基本解像度で取り出す基本解像度スペクトルを生成し、前記基本解像度の多数の正の整数倍の解像度で取り出す多数の倍数の解像度スペクトルを生成することにより、探知多重スペクトルテーブルを作成して探知周波数情報を生成するステップと、検出部が、前記探知多重スペクトルテーブルに、前記基準多重スペクトルテーブルの信号強さ値よりも大きな信号強さ値が存在するか否かを確認するステップと、を含む。
【００１３】
本発明の他の実施形態に係る広帯域不法無線信号の探知方法は、前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在すると確認される場合に、前記検出部が前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認するステップをさらに含むことが好ましい。
【００１４】
本発明の他の実施形態に係る広帯域不法無線信号の探知方法は、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在しないと確認される場合に、前記検出部が、前記探知無線信号のうち、不法無線信号が探知されたと確認するステップをさらに含むことが好ましい。
【００１５】
本発明の他の実施形態に係る広帯域不法無線信号の探知方法は、前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在しないと確認される場合に、前記検出部が、前記検出部が前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認するステップをさらに含むことが好ましい。
【００１６】
本発明の他の実施形態に係る広帯域不法無線信号の探知方法は、前記検出部が、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在すると確認される場合に、前記検出部が、前記探知多重スペクトルテーブルの最も大きな倍数の解像度の２番目の下位倍数のスペクトルの信号強さ値と、前記基準多重スペクトルテーブルの最も大きな倍数の解像度の２番目の下位倍数のスペクトルの信号強さ値とを比較して、前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在するか否かを確認するステップをさらに含むことが好ましい。
【００１７】
本発明の他の実施形態に係る広帯域不法無線信号の探知方法は、前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在しないと確認される場合に、前記検出部が、前記探知無線信号のうち、不法無線信号が探知されたと確認するステップをさらに含むことが好ましい。
【００１８】
本発明の他の実施形態に係る広帯域不法無線信号の探知方法は、前記探知無線信号のうち、不法無線信号が探知されたと確認される場合に、前記検出部が、前記基準多重スペクトルテーブルと、前記探知多重スペクトルテーブルと、前記不法無線信号が探知されたと確認された旨と、を格納部に格納するステップをさらに含むことが好ましい。
【００１９】
本発明の他の実施形態に係る広帯域不法無線信号の探知方法は、前記探知無線信号のうち、不法無線信号が探知されたと確認される場合に、前記検出部が、前記不法無線信号が探知されたと確認された旨をディスプレイ部に表示するステップをさらに含むことが好ましい。
【発明の効果】
【００２０】
本発明の実施形態に係る広帯域不法無線信号の探知方法は、周りの無線信号を基本解像度と多数の正の整数倍の解像度で取り出して作成した基準多重スペクトルテーブルと、探知無線信号を基本解像度と多数の正の整数倍の解像度で取り出して作成した探知多重スペクトルテーブルとを比較することにより、非常に広い周波数帯域にわたって低い電力の信号強さを有するスプレッドスペクトル（Ｓｐｒｅａｄ  Ｓｐｅｃｔｒｕｍ）を使用する不法無線信号や超広帯域（Ｕｌｔｒａ  Ｗｉｄｅ  Ｂａｎｄ；ＵＷＢ）を使用する不法無線信号を効果的に探知することができる。
【図面の簡単な説明】
【００２１】
【図１】本発明の一実施形態に係る広帯域不法無線信号の探知方法が適用されるシステムの構成図である。
【図２】本発明の一実施形態に係る広帯域不法無線信号の探知方法に採用される基準多重スペクトルテーブルと探知多重スペクトルテーブルの構成図である。
【発明を実施するための形態】
【００２２】
その他の実施形態の具体的な事項は、詳細な説明及び図面に含まれている。
【００２３】
本発明の利点及び特徴、並びにこれらを達成する方法は、添付の図面と結び付けて詳細に後述されている実施形態を参照することによりなお一層明確になる。しかしながら、本発明は以下で開示される実施形態に何等限定されるものではなく、互いに異なる様々な形態に具体化可能であり、単にこれらの実施形態は、本発明の開示を完全たるものにし、本発明が属する技術分野において通常の知識を有する者に本発明の範囲を完全に知らせるために提供されるものであり、本発明は、請求項の範囲によって定義されるだけである。明細書の全般に亘って、同じ参照符合は、同じ構成要素を指し示す。
【００２４】
本発明の一実施形態に係る広帯域不法無線信号の探知方法は、まず、図１に示すように、受信部１００が、不法無線信号を探知すべき場所の周りの無線信号を受信する。
【００２５】
次いで、探知部２００が、前記受信される周りの無線信号のうち、予め設定された周波数帯域の信号を基本解像度で取り出す基本解像度スペクトルを生成し、前記基本解像度の多数の正の整数倍の解像度で取り出す多数の倍数の解像度スペクトルを生成することにより、基準多重スペクトルテーブルを作成して基準周波数情報を生成する。
【００２６】
次いで、探知部２００が前記探知すべき場所において探知される探知無線信号のうち、前記予め設定された周波数帯域の信号を前記基本解像度で取り出す基本解像度スペクトルを生成し、前記基本解像度の多数の正の整数倍の解像度で取り出す多数の倍数の解像度スペクトルを生成することにより、探知多重スペクトルテーブルを作成して探知周波数情報を生成する。
【００２７】
このような前記基準多重スペクトルテーブルと前記探知多重スペクトルテーブルの多数の倍数スペクトルを構成する数式は、次の通りである。
【００２８】
【数１】
2019524038.tif 000003
Ｒ１：最初のテーブルの解像度（基本解像度）
Ｒｎ：ｎ番目のテーブルの解像度
Ｐ１：最初のテーブルのｘ番目の区間の信号強さ値
Ｐｎ（ｘ）：初のテーブルのｘ番目の区間の信号強さ値
例えば、前記基準多重スペクトルテーブルと前記探知多重スペクトルテーブルの基本解像度が２５ｋＨｚであり、予め設定された周波数帯域が１ＧＨｚである場合に、図２に示すように、２５ｋＨｚでＰ１（１）からＰ１（４００００）までの基本解像度スペクトルを生成し、次いで、２５ｋＨｚの２００倍の解像度である５ＭＨｚでＰ２（１）からＰ２（２００）までの２００倍の解像度スペクトルを生成し、次いで、２５ｋＨｚの４００倍の解像度である１０ＭＨｚでＰ３（１）からＰ３（１００）までの４００倍の解像度スペクトルを生成して、前記基準多重スペクトルテーブルと前記探知多重スペクトルテーブルを作成する。
【００２９】
ここで、前記基準多重スペクトルテーブルと前記探知多重スペクトルテーブルは、必ずしも３つ以上のスペクトルとして作成される必要はなく、２つのスペクトルとして作成されてもよい。すなわち、２５ｋＨｚの解像度スペクトルと２００倍の解像度スペクトルだけでも、前記基準多重スペクトルテーブルと前記探知多重スペクトルテーブルを作成することができる。
【００３０】
次いで、検出部４００は、前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認する。
【００３１】
具体的に、図２に示すように、前記探知多重スペクトルテーブルのＰ３（１）からＰ３（１００）までのスペクトルの信号強さ値と、前記基準多重スペクトルテーブルのＰ３（１）からＰ３（１００）までのスペクトルの信号強さ値とを比較して、前記探知多重スペクトルテーブルのＰ３（１）からＰ３（１００）までのスペクトルに、前記基準多重スペクトルテーブルのＰ３（１）からＰ３（１００）までのスペクトルの信号強さ値よりも大きな信号強さ値が存在するか否かを確認する。
【００３２】
次いで、前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在すると確認される場合に、前記検出部４００が、前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認する。
【００３３】
具体的に、図２に示すように、前記探知多重スペクトルテーブルのＰ３（１）からＰ３（１００）までのスペクトルに、前記基準多重スペクトルテーブルのＰ３（１）からＰ３（１００）までのスペクトルの信号強さ値よりも大きな信号強さ値が存在すると確認される場合に、前記探知多重スペクトルテーブルのＰ２（１）からＰ２（２００）までのスペクトルの信号強さ値と、前記基準多重スペクトルテーブルのＰ２（１）からＰ２（２００）までのスペクトルの信号強さ値とを比較して、前記探知多重スペクトルテーブルのＰ２（１）からＰ２（２００）までのスペクトルに、前記基準多重スペクトルテーブルＰ２（１）からＰ２（２００）までのスペクトルの信号強さ値よりも大きな信号強さ値が存在するか否かを確認する。
【００３４】
次いで、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在しないと確認される場合に、前記検出部４００が、前記探知無線信号のうち、不法無線信号が探知されたと確認する。
【００３５】
具体的に、図２に示すように、前記探知多重スペクトルテーブルのＰ２（１）からＰ２（２００）までのスペクトルの信号強さ値と、前記基準多重スペクトルテーブルのＰ２（１）からＰ２（２００）までのスペクトルの信号強さ値とを比較して、前記探知多重スペクトルテーブルのＰ２（１）からＰ２（２００）までのスペクトルに、前記基準多重スペクトルテーブルのＰ２（１）からＰ２（２００）までのスペクトルの信号強さ値よりも大きな信号強さ値が存在しないと確認される場合に、前記検出部４００が、前記探知無線信号のうち、不法無線信号が探知されたと確認する。
【００３６】
次いで、前記探知多重スペクトルテーブルの最も大きな倍数の解像度スペクトルに、前記基準多重スペクトルテーブルの最も大きな倍数の解像度スペクトルの信号強さ値よりも大きな信号強さ値が存在しないと確認される場合に、前記検出部４００が、前記探知多重スペクトルテーブルの最も大きな倍数の解像度の直前の下位倍数のスペクトルの信号強さ値と、前記基準多重スペクトルテーブルの最も大きな倍数の解像度の直前の下位倍数のスペクトルの信号強さ値とを比較して、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在するか否かを確認する。
【００３７】
具体的に、図２に示すように、前記探知多重スペクトルテーブルのＰ３（１）からＰ３（１００）までのスペクトルに、前記基準多重スペクトルテーブルのＰ３（１）からＰ３（１００）までのスペクトルの信号強さ値よりも大きな信号強さ値が存在しないと確認される場合に、前記探知多重スペクトルテーブルのＰ２（１）からＰ２（２００）までのスペクトルの信号強さ値と、前記基準多重スペクトルテーブルのＰ２（１）からＰ２（２００）までのスペクトルの信号強さ値とを比較して、前記探知多重スペクトルテーブルのＰ２（１）からＰ２（２００）までのスペクトルに、前記基準多重スペクトルテーブルのＰ２（１）からＰ２（２００）までのスペクトルの信号強さ値よりも大きな信号強さ値が存在するか否かを確認する。
【００３８】
次いで、前記検出部４００が、前記探知多重スペクトルテーブルの最も大きな倍数の解像度の直前の下位倍数のスペクトルに、前記基準多重スペクトルテーブルの最も大きな倍数の解像度の直前の下位倍数のスペクトルの信号強さ値よりも大きな信号強さ値が存在すると確認される場合に、前記検出部４００が、前記探知多重スペクトルテーブルの最も大きな倍数の解像度の２番目の下位倍数のスペクトルの信号強さ値と、前記基準多重スペクトルテーブルの最も大きな倍数の解像度の２番目の下位倍数のスペクトルの信号強さ値とを比較して、前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在するか否かを確認する。
【００３９】
具体的に、図２に示すように、前記探知多重スペクトルテーブルのＰ２（１）からＰ２（２００）までのスペクトルに、前記基準多重スペクトルテーブルのＰ２（１）からＰ２（２００）までのスペクトルの信号強さ値よりも大きな信号強さ値が存在すると確認される場合に、前記探知多重スペクトルテーブルのＰ１（１）からＰ１（４００００）までのスペクトルの信号強さ値と、前記基準多重スペクトルテーブルのＰ１（１）からＰ１（４００００）までのスペクトルの信号強さ値とを比較して、前記探知多重スペクトルテーブルのＰ１（１）からＰ１（４００００）までのスペクトルに、前記基準多重スペクトルテーブルのＰ１（１）からＰ１（４００００）までのスペクトルの信号強さ値よりも大きな信号強さ値が存在するか否かを確認する。
【００４０】
次いで、前記探知多重スペクトルテーブルの最も大きな倍数の解像度の２番目の下位倍数のスペクトルに、前記基準多重スペクトルテーブルの最も大きな倍数の解像度の２番目の下位倍数のスペクトルの信号強さ値よりも大きな信号強さ値が存在しないと確認される場合に、前記検出部４００が、前記探知無線信号のうち、不法無線信号が探知されたと確認する。
【００４１】
具体的に、図２に示すように、前記探知多重スペクトルテーブルのＰ１（１）からＰ１（４００００）までのスペクトルの信号強さ値と、前記基準多重スペクトルテーブルのＰ１（１）からＰ１（４００００）までのスペクトルの信号強さ値とを比較して、前記探知多重スペクトルテーブルのＰ１（１）からＰ１（４００００）までのスペクトルに、前記基準多重スペクトルテーブルのＰ１（１）からＰ１（４００００）までのスペクトルの信号強さ値よりも大きな信号強さ値が存在しないと確認される場合に、前記検出部４００が、前記探知無線信号のうち、不法無線信号が探知されたと確認する。
【００４２】
次いで、前記探知無線信号のうち、不法無線信号が探知されたと確認される場合に、前記検出部４００が、前記基準多重スペクトルテーブルと、前記探知多重スペクトルテーブルと、前記不法無線信号が探知されたと確認された旨と、を格納部５００に格納する。
【００４３】
次いで、前記探知無線信号のうち、不法無線信号が探知されたと確認される場合に、前記検出部４００が、前記不法無線信号が探知されたと確認された旨をディスプレイ部６００に表示する。
【００４４】
本発明が属する技術分野における通常の知識を有する者は、本発明がその技術的な思想や必須的な特徴を変更することなく、他の具体的な形態で実施可能であるということが理解できる筈である。よって、上述した実施形態は、あらゆる面において例示的なものに過ぎず、限定的ではないものと理解すべきである。
【００４５】
本発明の範囲は、上述した詳細な説明よりは、特許請求の範囲によって表わされ、特許請求の範囲の意味及び範囲、並びにその均等概念から導き出されるあらゆる変更または変形された形態が本発明の範囲に含まれるものと解釈されるべきである。
【図１】
2019524038.tif 000004
【図２】
2019524038.tif 000005
【国際調査報告】
2019524038.tif 000006
2019524038.tif 000007
2019524038.tif 000008
2019524038.tif 000009